(57)【要約】      （修正有）【課題】ネットワークで送受信されるデータ量などのトラヒックの異常検知を高精度に、かつ効率的に行うことを可能とする閾値設定を行う。【解決手段】通信トラヒックの異常検知に用いる閾値を自動設定する閾値設定システム１であって、振分器２は、コンフィグ情報を参照して、入力された観測値を予め設定された代表時刻を含む考慮期間単位に分け、統計量計算器３は、各考慮期間内のトラヒックデータの平均値と標準偏差を計算し、その組を統計量として求めると共に、現周期におけるいずれかの考慮期間に該当するデータが全て観測されるごとに計算される統計量と、過去周期までに計算された統計量の重み付け平均（平均統計量）を計算し、閾値設定用統計量計算器４は、全ての代表時刻における各平均統計量の重み付け平均を閾値設定用統計量として算出し、閾値計算器５は、閾値設定用統計量と予め定められたパラメタを用いて閾値を算出する。【選択図】図１
2008311719.tif 000002
【特許請求の範囲】
【請求項１】
所定の時間間隔単位で時系列に集計されるデータ量が周期的に増減する際、該データの異常判定に用いる基準値からの逸脱量としての閾値を、プログラムされたコンピュータによって自動設定する方法であって、
プログラムされたコンピュータの処理手段として、第１の処理手段、第２の処理手段、第３の処理手段、第４の処理手段、第５の処理手段、第６の処理手段とを具備し、
前記第１の処理手段は、
予め設定される一周期分のデータ長と、該一周期内に予め設定される１以上の代表時刻と、各代表時刻それぞれに対して予め設定される当該代表時刻を含む考慮期間と、重み付け平均の算出に用いる重み情報とを含むコンフィグ情報を入力して第１の記憶領域に記録する第１の手順を実行し、
前記第２の処理手段は、
予め定められたサンプリング時間間隔で計測されたデータ量情報を取得し、前記第１の記憶領域に記録された前記代表時刻毎に対応させて第２の記憶領域に記録する第２の手順を実行し、
前記第３の処理手段は、
現周期におけるいずれかの考慮期間内のデータ量情報が全て前記第２の処理手段により前記第２の記憶領域に記録される毎に、前記第２の記憶領域から、前記第１の記録領域に記録された前記代表時刻に対する考慮期間内のデータ量情報を読み出し、当該考慮期間内のデータ量に対しカルマンフィルタを含む時系列解析手法を用いて当該代表時刻の統計量を算出して第３の記憶領域に記録する第３の手順を実行し、
前記第４の処理手段は、
前記第３の手順が実行される毎に、前記第３の処理手段で計算される前記統計量と、過去周期までに算出された当該考慮期間の統計量の重み付け平均を平均統計量として算出して第４の記憶領域に記録する第４の手順を実行し、
前記第５の処理手段は、
全ての代表時刻における第４の処理手段が算出した前記平均統計量の重み付け平均を閾値設定用統計量として算出して第５の記憶領域に記録する第５の手順を実行し、
前記第６の処理手段は、
前記設定する閾値を、前記第５の処理手段が算出した閾値設定用統計量と予め定められたパラメタαを用い、（閾値設定用統計量における平均値）±α×（閾値設定用統計量における標準偏差）として求める第６の手順を実行する
ことを特徴とする閾値設定方法。
【請求項２】
所定の時間間隔単位で時系列に集計されるデータ量が周期的に増減する際、該データの異常判定に用いる基準値からの逸脱量としての閾値を、プログラムされたコンピュータによって自動設定する方法であって、
プログラムされたコンピュータの処理手段として、第１の処理手段、第２の処理手段、第３の処理手段、第４の処理手段、第５の処理手段、第６の処理手段とを具備し、
前記第１の処理手段は、
予め設定される一周期分のデータ長と、該一周期内に予め設定される１以上の代表時刻と、各代表時刻それぞれに対して予め設定される当該代表時刻を含む考慮期間と、重み付け平均の算出に用いる重み情報とを含むコンフィグ情報を入力して第１の記憶領域に記録する第１の手順を実行し、
前記第２の処理手段は、
予め定められたサンプリング時間間隔で計測されたデータ量情報を取得し、前記第１の記憶領域に記録された前記代表時刻毎に対応させて第２の記憶領域に記録する第２の手順を実行し、
前記第３の処理手段は、
現周期におけるいずれかの考慮期間内のデータ量情報が全て前記第２の処理手段により前記第２の記憶領域に記録される毎に、前記第２の記憶領域から、前記第１の記録領域に記録された前記代表時刻に対する考慮期間内のデータ量情報を読み出し、当該考慮期間内のデータ量の平均値と標準偏差を算出して当該代表時刻の統計量として第３の記憶領域に記録する第３の手順を実行し、
前記第４の処理手段は、
前記第３の手順が実行される毎に、前記第３の処理手段で計算される前記統計量と、過去周期までに算出された当該考慮期間の統計量の重み付け平均を平均統計量として算出して第４の記憶領域に記録する第４の手順を実行し、
前記第５の処理手段は、
全ての代表時刻における第４の処理手段が算出した前記平均統計量の重み付け平均を閾値設定用統計量として算出して第５の記憶領域に記録する第５の手順を実行し、
前記第６の処理手段は、
前記設定する閾値を、前記第５の処理手段が算出した閾値設定用統計量と予め定められたパラメタαを用い、（閾値設定用統計量における平均値）±α×（閾値設定用統計量における標準偏差）として求める第６の手順を実行する
ことを特徴とする閾値設定方法。
【請求項３】
所定の時間間隔単位で時系列に集計されるデータ量が周期的に増減する際、該データの異常判定に用いる基準値からの逸脱量としての閾値を、プログラムされたコンピュータによって自動設定する方法であって、
プログラムされたコンピュータの処理手段として、第１の処理手段、第２の処理手段、第３の処理手段、第４の処理手段、第５の処理手段、第６の処理手段とを具備し、
前記第１の処理手段は、
予め設定される一周期分のデータ長と、該一周期内に予め設定される１以上の代表時刻と、各代表時刻それぞれに対して予め設定される当該代表時刻を含む考慮期間と、重み付け平均の算出に用いる重み情報とを含むコンフィグ情報を入力して第１の記憶領域に記録する第１の手順を実行し、
前記第２の処理手段は、
予め定められたサンプリング時間間隔で計測されたデータ量情報を取得し、前記第１の記憶領域に記録された前記代表時刻毎に対応させて第２の記憶領域に記録、ないしは該第２の記憶領域に記録されている最も古いデータ量情報を新しいデータ量情報に置き換える第２の手順を実行し、
前記第３の処理手段は、
前記第２の手順が実行される毎に、前記第１の記録領域に記録された前記代表時刻に対する考慮期間内のデータ量情報を読み出し、当該考慮期間内のデータ量の平均値と標準偏差を逐次算出して当該代表時刻の統計量として第３の記憶領域に記録する第３の手順を実行し、
前記第４の処理手段は、
全ての代表時刻における前記第３の処理手段が逐次算出した前記統計量の重み付け平均を閾値設定用統計量として算出して第４の記憶領域に記録する第４の手順を実行し、
前記第５の処理手段は、
前記設定する閾値を、前記第４の処理手段が算出した閾値設定用統計量と予め定められたパラメタαを用い、（閾値設定用統計量における平均値）±α×（閾値設定用統計量における標準偏差）として求める第５の手順を実行する
ことを特徴とする閾値設定方法。
【請求項４】
所定の時間間隔単位で時系列に集計されるデータ量が周期的に増減する際、該データの異常判定に用いる基準値からの逸脱量としての閾値を、プログラムされたコンピュータによって自動設定する方法であって、
プログラムされたコンピュータの処理手段として、第１の処理手段、第２の処理手段、第３の処理手段、第４の処理手段、第５の処理手段、第６の処理手段とを具備し、
前記第１の処理手段は、
予め設定される一周期分のデータ長と、該一周期内に予め設定される１以上の代表時刻と、各代表時刻それぞれに対して予め設定される当該代表時刻を含む考慮期間と、重み付け平均の算出に用いる重み情報とを含むコンフィグ情報を入力して第１の記憶領域に記録する第１の手順を実行し、
前記第２の処理手段は、
予め定められたサンプリング時間間隔で計測されたデータ量情報を取得し、前記第１の記憶領域に記録された前記代表時刻毎に対応させて第２の記憶領域に記録、ないしは該第２の記憶領域に記録されている最も古いデータ量情報を新しいデータ量情報に置き換える第２の手順を実行し、
前記第３の処理手段は、
前記第２の手順が実行される毎に、前記第１の記録領域に記録された前記代表時刻に対する考慮期間内のデータ量情報を読み出し、当該考慮期間内のデータ量に対しカルマンフィルタを含む時系列解析手法を用いて当該代表時刻の統計量を算出して第３の記憶領域に記録する第３の手順を実行し、
前記第４の処理手段は、
全ての代表時刻における前記第３の処理手段が逐次算出した前記統計量の重み付け平均を閾値設定用統計量として算出して第４の記憶領域に記録する第４の手順を実行し、
前記第５の処理手段は、
前記設定する閾値を、前記第４の処理手段が算出した閾値設定用統計量と予め定められたパラメタαを用い、（閾値設定用統計量における平均値）±α×（閾値設定用統計量における標準偏差）として求める第５の手順を実行する
ことを特徴とする閾値設定方法。
【請求項５】
所定の時間間隔単位で時系列に集計されるデータ量が周期的に増減する際、該データの異常判定に用いる基準値からの逸脱量としての閾値を、プログラムされたコンピュータによって自動設定する方法であって、
プログラムされたコンピュータの処理手段として、第１の処理手段、第２の処理手段、第３の処理手段、第４の処理手段、第５の処理手段、第６の処理手段とを具備し、
前記第１の処理手段は、
予め設定される一周期分のデータ長と、該一周期内に予め設定される１以上の代表時刻と、各代表時刻それぞれに対して予め設定される当該代表時刻を含む考慮期間と、重み付け平均の算出に用いる重み情報とを含むコンフィグ情報を入力して第１の記憶領域に記録する第１の手順を実行し、
前記第２の処理手段は、
予め定められたサンプリング時間間隔で計測されたデータ量情報を取得し、
前記第１の記録領域に記録された前記代表時刻毎に対応した
当該代表時刻の統計量である平均値と標準偏差と、
新たに取得されたデータ量情報との重み付け平均により
代表時刻の統計量を算出して第２の記憶領域に記録する第２の手順を実行し、
前記第３の処理手段は、
全ての代表時刻における前記第２の処理手段が算出した前記統計量の重み付け平均を閾値設定用統計量として算出して第３の記憶領域に記録する第３の手順を実行し、
前記第４の処理手段は、
前記設定する閾値を、前記第３の処理手段が算出した閾値設定用統計量と予め定められたパラメタαを用い、（閾値設定用統計量における平均値）±α×（閾値設定用統計量における標準偏差）として求める第４の手順を実行する
ことを特徴とする閾値設定方法。
【請求項６】
請求項１から請求項５のいずれかに記載の閾値設定方法であって、
前記所定の時間間隔単位で時系列に集計される周期的に増減するデータ量は、ネットワークトラヒックであることを特徴とする閾値設定方法。
【請求項７】
所定の時間間隔単位で時系列に集計されるデータ量が周期的に増減する際の、該データ量の異常判定に用いる基準値からの逸脱量である閾値を、プログラムされたコンピュータによって予測するシステムであって、
プログラムされたコンピュータの処理手段として、請求項１から請求項６のいずれかに記載の閾値設定方法における各手順を実行する処理手段を有することを特徴とする閾値設定システム。
【請求項８】
コンピュータに、請求項１から請求項６のいずれかに記載の閾値設定方法における各手順を実行させるためのプログラム。
【発明の詳細な説明】
【技術分野】
【０００１】
本発明は、時々刻々と観測される周期を持ったトラヒック時系列データの分析技術に係り、特に、周期性を利用して、観測されるネットワークトラヒック等の異常判定に用いる閾値の設定を効率的に行うのに好適な技術に関するものである。
【背景技術】
【０００２】
日々増大するネットワーク需要を背景に、ＤＤｏＳ（Ｄｉｓｔｒｉｂｕｔｅｄ  Ｄｅｎｉａｌ  ｏｆ  Ｓｅｒｖｉｃｅ）攻撃にあげられるようなネットワークトラヒック資源を大量消費する不正行為が増えてきた。このような不正行為でネットワーク帯域が浪費されてしまえば、一般ユーザの通信品質を著しく劣化させることにつながる。そのため、このＤＤｏＳ攻撃のような異常トラヒックが発生したことを一刻も早く検知し、対策することがネットワーク管理者に求められている。
【０００３】
異常トラヒックの発生を検知する技術として、観測トラヒックのボリューム変化に着目する技術がある。ここで観測トラヒックとは、ある決められた時間間隔毎に測定される、パケット数やバイト数などのデータ量の時間推移を言う。この技術では、観測トラヒックが基準値からある一定量以上の逸脱を示したとき、トラヒックに異常が発生したと判定する。従来、この「基準値（ベーストラヒック）」と「ある一定量（閾値）」は、オペレータの経験により決定されていた。
【０００４】
しかし、大規模ネットワークの綿密な監視を想定したとき、監視対象が膨大となるため、人手により全てを管理することは不可能に近い。何故なら、それぞれの監視対象におけるトラヒックデータは、通常のトラヒック量やトラヒック量の変動幅も異なるため、ベーストラヒック（基準値）と閾値（一定量）は監視対象毎個別に設定する必要があるためである。そこで、閾値（一定量）設定を自動化することが望まれる。
【０００５】
閾値設定を自動化する技術として、観測トラヒックの平均値や標準偏差といった統計量を用い、統計的根拠に基づいた外れ値判定を利用する技術がある。例えば非特許文献１において記載されているように、移動平均値をベーストラヒック（基準値）、標準偏差を閾値（一定量）として用いるボリンジャーバンドと呼ばれる技術が、特に多用されている。
【０００６】
しかし、このボリンジャーバンドをそのままトラヒックの異常検知に適用しても、精度の良い異常検知を行うことは難しい。その理由は、ボリンジャーバンドは観測トラヒックにおける統計的性質の変化を検出できるが、実際の観測トラヒックでは統計的性質の変化がそのまま異常であるとは言い切れないためである。
【０００７】
すなわち、トラヒックの生成が人間の生活サイクルに依存し、この場合、トラヒックデータは一日単位、一週間単位、一年単位といった周期性を見せることがある。
【０００８】
例えば、ネットワークトラヒックにおいては、一日単位の周期的傾向としては、人々の活動が少ない深夜から朝にかけてはトラヒック量が少なく、人々の活動が活発となる昼から夜にかけてはトラヒック量が増加するという傾向が見られ、また、一週間単位の周期的傾向としては、平日はトラヒック量が多く、休日はトラヒック量が減少するという傾向が見られ、さらに、一年単位の周期的傾向としては、長期休暇が見られる時期はトラヒック量が少なく、休暇明けと見られる時期にはトラヒック量が増加するという傾向が見られるといったものである。
【０００９】
また、観測トラヒックのばらつき具合も、トラヒック量と共に周期的な増減を見せる。
【００１０】
以上のように、トラヒック量が周期性を見せる場合、特定の時間帯でトラヒックの統計的性質が劇的に変化したとしても、毎周期起こっている変化であれば正常だといえる。
【００１１】
しかし、ボリンジャーバンドのように、近傍過去の観測値のみを利用する移動平均値では、ベーストラヒックの統計的性質の周期的な変化に対応することができない。また、トラヒック量の観測値のばらつきを示す標準偏差も、近傍過去の観測値のみを利用するのであれば同様の問題が生じる。
【００１２】
このように、ボリンジャーバンドは周期性を考慮する仕組みがないため、周期的トラヒックを対象とした場合、精度の良い異常検知を行うのは難しい。
【００１３】
一方、周期性を考慮した異常検知技術として、例えば非特許文献２に記載のＨｏｌｔ−Ｗｉｎｔｅｒｓ法を用いる技術が知られている。この技術は、直近の過去の情報の他にも、より遠い過去の情報も利用し、周期性を考慮したベースラインの予測による異常検知を実現している。
【００１４】
しかし、この技術では、複数のパラメタをトラヒックにあわせて経験的に調節する必要があり、複数の観測トラヒックを対象とした異常検知に用いるのは困難である。また、閾値設定においては、ボリンジャーバンドと同様の移動平均値を用いているため、観測トラヒックにおけるばらつき具合の周期性を考慮する仕組はない。
【００１５】
【非特許文献１】Ｊｏｈｎ  Ａ．  Ｂｏｌｌｉｎｇｅｒ（ジョン・Ａ・ボリンジャー）著，長尾慎太郎監修，飯田恒夫訳，“ボリンジャーバンド入門”，パンローリング株式会社，２００２，ｐｐ．９５−１１７，３５１．
【非特許文献２】Ｊａｋｅ  Ｄ．Ｂｒｕｔｌａｇ，“Ａｂｅｒｒａｎｔ  Ｂｅｈａｖｉｏｒ  Ｄｅｔｅｃｔｉｏｎ  ｉｎ  Ｔｉｍｅ  Ｓｅｒｉｅｓ  ｆｏｒ  Ｎｅｔｗｏｒｋ  Ｍｏｎｉｔｏｒｉｎｇ”，１４ｔｈ  Ｓｙｓｔｅｍｓ  ａｄｍｉｎｉｓｔｒａｔｉｏｎ  ｃｏｎｆｅｒｅｎｃｅ（ＬＩＳＡ２０００），Ｄｅｃ．２０００，ｐｐ．１３８−１４６．
【発明の開示】
【発明が解決しようとする課題】
【００１６】
解決しようとする問題点は、従来技術のボリンジャーバンドでは周期性を考慮する仕組みがないため、周期的トラヒックを対象とした場合、精度の良い異常検知を行うのは難しい点と、従来技術のＨｏｌｔ−Ｗｉｎｔｅｒｓ法を用いる技術では、複数のパラメタをトラヒックにあわせて経験的に調節する必要があり、複数の観測トラヒックを対象とした異常検知に用いるのが困難な点である。
【００１７】
本発明の目的は、これら従来技術の課題を解決し、例えば、ネットワークで送受信されるデータ量などのトラヒックの異常検知を高精度に、かつ、効率的に行うことを可能とする閾値設定を行うことである。
【課題を解決するための手段】
【００１８】
上記目的を達成するため、本発明では、例えば、観測したネットワークのトラヒックが予め定められた基準値から一定量以上逸脱したとき、当該トラヒックに異常が発生したと判定する際に用いる、一定量を意味する閾値を、プログラムされたコンピュータによって自動設定するために、プログラムされたコンピュータが実行する処理手段として、振分器２、統計量計算器３、閾値設定用統計量計算器４、閾値設定器５を設け、振分器２においては、予め記録されたコンフィグ情報（一周期の長さ、代表時刻と考慮期間）を参照して、入力された観測値（所定の時間間隔単位で時系列に集計されるデータ量）を、予め設定された代表時刻を含む考慮期間単位に分け、統計量計算器３においては、各考慮期間内のトラヒックデータの平均値と標準偏差を計算し、その組を統計量として求めると共に、コンフィグ情報（加重平均の重み）を参照して、現周期におけるいずれかの考慮期間に該当するデータが全て観測されるごとに計算される統計量と、過去周期までに計算された統計量の重み付け平均を計算しこれを平均統計量として求め、閾値設定用統計量計算器４においては、全ての代表時刻における各平均統計量の重み付け平均を閾値設定用統計量として算出し、閾値設定器５においては、閾値設定用統計量計算器４が算出した閾値設定用統計量と予め定められたパラメタαを用いて、（閾値設定用統計量における平均値）±α×（閾値設定用統計量における標準偏差）により閾値を算出する。
【発明の効果】
【００１９】
本発明によれば、周期性を考慮して統計量を見積もることにより、毎周期発生するトラヒック変動を加味した閾値を設定することが可能となり、トラヒックの昼夜変動などで生じる誤検出や非検出を軽減される。また、過去の統計情報も考慮するため、瞬時的な傾向変化を観測した後に閾値の精度が大きく損なわれることを回避できる。
【発明を実施するための最良の形態】
【００２０】
以下、図を用いて本発明を実施するための最良の形態例を説明する。図１は、本発明に係る閾値設定システムの構成例を示すブロック図であり、図２は、図１における閾値設定システムでの閾値設定動作例を示す説明図、図３は、本発明に係る閾値設定方法の第１の処理手順例を示すフローチャート、図４は、本発明に係る閾値設定方法の第２の処理手順例を示すフローチャート、図５は、本発明に係る閾値設定方法の第３の処理手順例を示すフローチャートである。
【００２１】
図１における閾値設定システム１は、ＣＰＵ（Ｃｅｎｔｒａｌ  Ｐｒｏｃｅｓｓｉｎｇ  Ｕｎｉｔ）や主メモリ、表示装置、入力装置、外部記憶装置からなるコンピュータ構成からなり、光ディスク駆動装置等を介してＣＤ−ＲＯＭ等の記憶媒体に記録されたプログラムやデータを外部記憶装置内にインストールした後、この外部記憶装置から主メモリに読み込みＣＰＵで処理することにより、所定の時間間隔単位で時系列に集計されるデータの量が周期的に増減する際の、データの量の異常を判定する基準値を予測するシステムであって、プログラムされたコンピュータの処理機能として、振分器２、統計量計算器３、閾値設定用統計量算出器４、閾値計算器５を有する。
【００２２】
本例では、所定の時間間隔単位で時系列に集計されるデータの量を、ネットワーク上のトラヒックとし、集計したネットワークトラヒックが基準値から一定量以上逸脱したときに当該トラヒックに異常が発生したと判定する際の、一定量を意味する閾値を自動設定する動作を説明する。
【００２３】
本例で想定するトラヒックとは、トラヒック観測装置で観測されたネットワーク上で送受信されるパケット数やバイト数などを、一定間隔毎に集約・集計したものを言う。例えば、一分間隔に集約するなら、一時間の観測トラヒックは６０個のデータ時系列となる。
【００２４】
観測できるものであれば、フロー数やルータのメモリ使用量などをトラヒックとして取り扱っても良い。
【００２５】
本例では、観測トラヒックを正常値とみなす基準値からの許容範囲（閾値）を設定することが目的であり、ここで、基準値は、過去のトラヒックデータの平均値でもいいし、予め与えられる値でも良い。
【００２６】
実際の観測トラヒックは、時間によってデータのばらつき具合が変化する。ネットワークトラヒックを例に挙げれば、人々の活動が少ない朝方のトラヒック量は時刻毎の観測データにばらつきが少なく、人の活動が活発になる昼から夜にかけてのトラヒック量は時刻毎の観測データに大きなばらつきが見られる。
【００２７】
このような観測データにおける時刻毎のばらつきの変化は、人間の生活サイクルに依存して周期的な振舞いを示し、滑らか（連続的）に生じる。そこで、本例では、観測トラヒックを周期毎に取り扱い、現時刻におけるばらつき予測に、過去周期に観測したトラヒックのばらつきを利用する。
【００２８】
このように、本例では、予め定められる一定期間に計測されたフロー数やバイト数などの観測値について、一定期間に計測された観測値の時間変化をトラヒックと呼ぶ。また、観測値が記録されるタイミングを時刻と呼ぶ。
【００２９】
このトラヒックについて、本例では、最初に、一周期分のデータ長を決定し、一周期の中に代表時刻と呼ぶ時刻を一つ以上設定する（図２における代表時刻を参照）。さらに、それぞれの代表時刻について考慮期間を設定する（図２における考慮期間を参照）。
【００３０】
これらの一周期の長さと代表時刻および考慮時間の組のパターンは、本システムを制御するコンフィグ情報として予め定められるものとする。例えば、一周期の長さは監視対象によって様々な値をとる可能性はあるものの、人間の活動に依存するトラヒックであれば、一日、一週間、一年等が妥当である。
【００３１】
また、代表時刻は、トラヒックデータの統計的性質を統計量としてサンプリングするためのものであり、代表時刻の個数は、実装時のメモリ容量に応じて最大限（一周期のデータ数）確保しても良いし、メモリ容量次第では適度に間引いても良い。
【００３２】
例えば、一周期を１日とした場合、人間の生活サイクルに依存するトラヒックデータの変動は、大まかには朝方と夜の変動となるため、代表時刻を一時間毎、二時間毎に指定するなどでよい。
【００３３】
ここで、代表時刻に選ばれなかった時刻の統計量は、代表時刻における統計量から推定する。
【００３４】
尚、考慮期間は代表時刻を中心として前後等期間設定することが妥当である。また、統計的性質を一定とみなすためには考慮期間は短いほうが良い。
【００３５】
このように推定された統計量に基づき、本例では閾値を設定する。本例では、代表時刻における観測値とベーストラヒック量（基準値）との差についての平均値や標準偏差といった統計量を見積もり、将来の閾値設定に利用する。
【００３６】
これは、観測トラヒックに周期的な傾向が見られる場合、過去周期におけるある時点での統計的性質と、現在ないしは未来の同時点における統計的性質に高い相関性があるためである。
【００３７】
本例では、過去に推定された統計量や過去周期の観測値を利用し、統計量見積精度を向上させる。これにおいて、考慮データ数を指定する移動平均や過去と現在の見積値を混合する加重平均を用いる。具体的には、以下の三つの技術がある。
【００３８】
第一の技術は、各周期において代表時刻の考慮期間に該当するデータが集まり次第、統計量を見積り、過去の周期までに見積もられた統計量と最新の統計量との重み付け平均で統計量を更新する技術である。
【００３９】
ここで、重み付け平均の重みは、予め定められる量とする。この技術は、統計量更新の頻度が少ないために、統計量計算のための処理量を抑えることができる。また、過去の観測データを間接的に利用できるため、統計量の推定精度が向上する。
【００４０】
第二の技術は、各代表時刻について一定の記憶領域を用意し、考慮期間に該当するデータが観測されるたびに記憶し、統計量を計算するものである。ここで、記憶領域がデータで満杯になったときは、該当記憶領域内の最も古いデータを破棄して最新のデータを追加する。
【００４１】
この技術では、統計量計算において重みを設定する必要がない。十分な記憶領域を確保することにより、統計量の推定精度が確保される。
【００４２】
第三の技術は、各代表時刻について、考慮期間に該当するデータが観測されるたびに統計量を更新するものである。例えば、平均値や標準偏差といった統計量は、重み付平均を用いることで逐次的に更新することができる。
【００４３】
ここで、重み付け平均の重みは、予め定められる量とする。この技術では、逐次的に統計量を更新するため、観測データの統計的性質変化を閾値へ即座に反映できる。また、大きな記憶領域を必要としない統計量の推定が可能である。
【００４４】
本例において、予め定めるコンフィグ情報は、以上のように、
（１）一周期の長さ、
（２）代表時刻と考慮期間、
（３）加重平均の重み、
となる。
【００４５】
ただし、これらのコンフィグ情報は精密に定める必要はない。何故なら、トラヒックの傾向変化は連続的に生じるものであり、一周期の長さに多少のずれがあっても、統計量推定値への影響は少ない。代表時刻と考慮期間は、実装に合わせてなるべく細密に設定すればよく、経験的に定める必要はない。また、観測トラヒックが周期性を有しているとき、各代表時刻の考慮期間内における統計的性質は各周期で似通ったものとなる。そのため、加重平均の重みについても、設定値の差が予測精度に与える影響は少ない。
【００４６】
また、ばらつきの変化は連続的に起こるため、各代表時刻間の非代表時刻における統計量を、近傍の代表時刻の統計量の重み付け平均で計算する。これにより、保持すべき代表時刻数を削減することが可能となる。最も単純には、現在の時刻と前後の代表時刻についての内分率を重みとして設定するが、追加のコンフィグ情報として非代表時刻の統計量を計算するための重み付け係数を設定しても良い。
【００４７】
本例では、以上の技術で推定された統計量（平均値、標準偏差）と予め定められたパラメタαを用い、各時刻（代表時刻、非代表時刻）の閾値を（平均値）±α（標準偏差）として設定する。
【００４８】
このように、図１における閾値設定システム１では、プログラムされたコンピュータが実行する処理手段として、振分器２、統計量計算器３、閾値設定用統計量計算器４、閾値設定器５を具備し、これらの処理手段の処理により、所定の時間間隔単位で時系列に集計されるデータの量が周期的に増減する際の、このデータ量の異常・正常を判定するのに用いる基準値からの逸脱値（閾値）を設定する際、周期性を考慮して統計量を見積もることにより、毎周期発生するトラヒック変動を加味した閾値を設定する。これにより、トラヒックの昼夜変動などで生じる誤検出や非検出を軽減される。また、過去の統計情報も考慮するため、瞬時的な傾向変化を観測した後に閾値の精度が大きく損なわれることを回避できる。
【００４９】
すなわち、閾値設定システム１において、振分器２は、図示されていない記憶装置に記録されたコンフィグ情報（一周期の長さ、代表時刻と考慮期間）を参照して、入力された観測値（所定の時間間隔単位で時系列に集計されるデータ量）を、予め設定された代表時刻を含む考慮期間単位に分け、図示していない記憶装置に格納する。
【００５０】
統計量計算器３は、振分器２が格納した各考慮期間単位のデータを記憶装置から読み込み、各考慮期間内のトラヒックデータの平均値と標準偏差を計算し、この平均値と標準偏差の組を統計量として図示していない記憶装置に格納すると共に、コンフィグ情報（加重平均の重み）を参照して、現周期におけるいずれかの考慮期間に該当するデータが全て観測されるごとに計算される統計量と、過去周期までに計算された統計量の重み付け平均を計算しこれを平均統計量とし、図示していない記憶装置に格納する。
【００５１】
閾値設定用統計量計算器４は、統計量計算器３が算出して格納した全ての代表時刻における各平均統計量を記憶装置から読み込み、各平均統計量の重み付け平均を閾値設定用統計量として算出し、図示していない記憶装置に格納する。
【００５２】
閾値設定器５は、閾値設定用統計量計算器４が算出して格納した閾値設定用統計量を記憶装置から読み込み、予め定められたパラメタαを用いて、「（閾値設定用統計量における平均値）±α×（閾値設定用統計量における標準偏差）」により閾値を算出する。
【００５３】
あるいは、統計量計算器３は、統計量（各考慮期間内のトラヒックデータの平均値と標準偏差の組）を計算し記憶装置に格納した後、ある考慮期間内のトラヒックデータが観測されるたびに、記憶装置に記憶されている最も古いトラヒックデータを新しいデータで置き換え、各代表時刻の統計量を逐次計算して記憶装置に格納し、閾値設定用統計量計算器４は、統計量計算器３が逐次計算して格納した、全ての代表時刻における統計量の重み付け平均を閾値設定用統計量として算出し、図示していない記憶装置に格納し、閾値設定器５は、閾値設定用統計量計算器４が算出して格納した閾値設定用統計量を記憶装置から読み込み、予め定められたパラメタαを用いて、「（閾値設定用統計量における平均値）±α×（閾値設定用統計量における標準偏差）」により閾値を算出することでも良い。
【００５４】
また、統計量計算器３は、統計量（各考慮期間内のトラヒックデータの平均値と標準偏差の組）を計算し記憶装置に格納した後、ある考慮期間内のトラヒックデータが観測されるたびに、観測されたトラヒックデータとの重み付け平均により代表時刻の統計量を更新して平均統計量として記憶装置に格納し、閾値設定用統計量計算器４は、統計量計算器３が逐次計算して格納した、全ての代表時刻における平均統計量の重み付け平均を閾値設定用統計量として算出し、図示していない記憶装置に格納し、閾値設定器５は、閾値設定用統計量計算器４が算出して格納した閾値設定用統計量を記憶装置から読み込み、予め定められたパラメタαを用いて、「（閾値設定用統計量における平均値）±α×（閾値設定用統計量における標準偏差）」により閾値を算出することでも良い。
【００５５】
以下、このような閾値設定システム１の動作の詳細を説明する。
【００５６】
周期Ｔを持つ入力データｙ１，ｙ２，…について、一周期中にＮ（≦Ｔ）個の予め定められる時刻に代表時刻ｔnを設定する。この入力データは、観測トラヒックそのままでもいいし、観測トラヒックとベースラインの差分でも良い。
【００５７】
また、各代表時刻ｔnについて、予め定められる前後ｌn期間の入力データを考慮対象とし、考慮期間の入力データから推定される統計量を代表時刻ｔnの統計量Θｎと定義する（図２参照）。
【００５８】
尚、考慮期間［ｙn−ｌn，ｙn＋ｌn］は異なる代表時刻で重なっても良いし、一周期全てのデータを考慮期間で覆わなくても良い。
【００５９】
例えば、代表時刻ｔnの統計量Θｎとして数１に示す平均値、数２に示す標準偏差を取り扱うとき、以下のような見積もり方が挙げられる。
【００６０】
【数１】
2008311719.tif 000003
【００６１】
【数２】
2008311719.tif 000004
【００６２】
まず、各周期毎に統計量を見積もる場合、平均値と標準偏差は、それぞれ、数３，４に示すようにして計算される。ただし、数５に示す入力データが与えられているものとする。
【００６３】
【数３】
2008311719.tif 000005
【００６４】
【数４】
2008311719.tif 000006
【００６５】
【数５】
2008311719.tif 000007
【００６６】
そして、代表時刻ｔnについて、一周期前までに計算された統計量を数６とし、
現周期のデータで計算される統計量を数７とするとき、現周期までの統計量（数８）を、数９に示すようにして推定する。ここで、「η」は予め定められるパラメタである。
【００６７】
【数６】
2008311719.tif 000008
【００６８】
【数７】
2008311719.tif 000009
【００６９】
【数８】
2008311719.tif 000010
【００７０】
【数９】
2008311719.tif 000011
【００７１】
上記の例の場合、閾値は過去周期のデータにのみ依存することになる。そのため、周期的傾向が比較的安定している入力データに対して適している。
【００７２】
また、データを受け取る都度、上述の統計量をリアルタイムに更新する場合、以下のようにすれば良い。
【００７３】
各代表時刻ｔnについて、ある程度の大きさの記憶容量を用意する。そして、該当考慮期間のトラヒックデータが観測されるたび、最も古いデータを最新のデータに書き換え、記憶データの統計量を毎時刻評価を行う。
【００７４】
この技術は、大きな記憶容量の確保を要求するが、加重平均のためのパラメタを必要としない。
【００７５】
もし大きな記憶容量を確保できない場合、パラメタδを用い、考慮期間に該当するデータｙｔを受け取るたび、以下の式のように計算すればよい。
【００７６】
現在時刻ｔが代表時刻ｔnの考慮期間に属しているとき、時刻ｔにおける代表時刻ｔnの平均値を数１０、標準偏差を数１１で表すと、その平均値、標準偏差は数１２，１３として計算する。
【００７７】
【数１０】
2008311719.tif 000012
【００７８】
【数１１】
2008311719.tif 000013
【００７９】
【数１２】
2008311719.tif 000014
【００８０】
【数１３】
2008311719.tif 000015
【００８１】
この技術は、パラメタδを１に近づけることで過去の傾向を維持する見積りとなり、パラメタδを０に近づけることで最新の傾向を反映する見積となる。
【００８２】
上述の統計量の見積もりにおいて、代表時刻ｔnの統計量Θｎは平均値や標準偏差に限らないとする。
【００８３】
次に、時刻ｔにおける統計量θｔの計算手法について説明する。
【００８４】
ネットワークトラヒックにおける正常な統計的性質の時間変化は連続的に起こると仮定すると、隣接する代表時刻ｔnとｔn+１に挟まれた時刻ｔは統計量の遷移期間と考えることができる。
【００８５】
したがって、各時刻ｔn≦ｔ＜ｔn+１の統計量θｔは、代表時刻ｔn，ｔn+１の統計量（数１４，数１５）から次の数１６ように推定される。
【００８６】
【数１４】
2008311719.tif 000016
【００８７】
【数１５】
2008311719.tif 000017
【００８８】
【数１６】
2008311719.tif 000018
【００８９】
より一般的には、Ｔ個の予め定められるＮ次元単位ベクトルをｗｔとするとき、時刻ｔにおける統計量θｔは、重み付け平均により、次の数１７で与えられる。ただし、ｗｔ，iはベクトルｗｔの第ｉ成分とした。
【００９０】
【数１７】
2008311719.tif 000019
【００９１】
以上の手順で計算された統計量θｔに基づき、時刻ｔの閾値を計算する。
【００９２】
統計量として平均値（数１８）、標準偏差（数１９）を用いる場合、時刻ｔにおける閾値は、数２０として計算される。
【００９３】
【数１８】
2008311719.tif 000020
【００９４】
【数１９】
2008311719.tif 000021
【００９５】
【数２０】
2008311719.tif 000022
【００９６】
ここで、αは予め定められるパラメタである。
【００９７】
次に、図３〜図５を用いて、図１における振分器２、統計量計算器３、閾値設定用統計量計算器４、閾値設定器５を具備した閾値設定システム１の処理手順を説明する。
【００９８】
図３に示すように、閾値設定システム１は、まず、図示していない処理手段により、予め記録媒体に記録された、あるいは入力装置から入力された、コンフィグ情報（一周期の長さ、代表時刻と考慮期間、加重平均の重み等）を読み込み、コンフィグ設定ファイルとして記憶装置に格納する（ステップＳ３０１）。
【００９９】
観測値（所定の時間間隔単位で時系列に集計されるデータ量）が入力されると、振分器２は、コンフィグ設定ファイルを参照して、入力された観測値を、予め設定された代表時刻を含む考慮期間単位に分け、考慮期間別データとして出力し、図示していない記憶装置に格納する（ステップＳ３０２）。
【０１００】
統計量計算器３は、現周期におけるいずれかの考慮期間に該当するデータが全て観測される毎に、振分器２が格納した各考慮期間別のデータを記憶装置から読み込み、各考慮期間内のトラヒックデータの平均値と標準偏差を計算し、この平均値と標準偏差の組を統計量として出力し、図示していない記憶装置（統計量ファイル）に格納すると共に（ステップＳ３０３）、この統計量と、過去周期までに計算された統計量の重み付け平均を、コンフィグ情報設定ファイルにおける「加重平均の重み」を参照して計算し、これを平均統計量として出力し、図示していない記憶装置（平均統計量ファイル）に格納する（ステップＳ３０４）。
【０１０１】
閾値設定用統計量計算器４は、統計量計算器３が算出して格納した全ての代表時刻における各平均統計量を平均統計量ファイルから読み込み、各平均統計量の重み付け平均を閾値設定用統計量として算出し、図示していない記憶装置（閾値設定用統計量ファイル）に出力して格納する（ステップＳ３０５）。
【０１０２】
閾値設定器５は、閾値設定用統計量計算器４が算出して格納した閾値設定用統計量を記憶装置（閾値設定用統計量ファイル）から読み込み、予め定められたパラメタαを用いて、「（閾値設定用統計量における平均値）±α×（閾値設定用統計量における標準偏差）」により閾値を算出し、閾値ファイルとして出力する（ステップＳ３０６）。
【０１０３】
図４に示す手順では、閾値設定システム１は、まず、図示していない処理手段により、予め記録媒体に記録された、あるいは入力装置から入力された、コンフィグ情報（一周期の長さ、代表時刻と考慮期間、加重平均の重み等）を読み込み、コンフィグ設定ファイルとして記憶装置に格納する（ステップＳ４０１）。
【０１０４】
観測値（所定の時間間隔単位で時系列に集計されるデータ量）が入力されると、振分器２は、コンフィグ設定ファイルを参照して、入力された観測値を、予め設定された代表時刻を含む考慮期間単位に分け、考慮期間別データとして出力し、図示していない記憶装置に格納する（ステップＳ４０２）。
【０１０５】
統計量計算器３は、ある考慮期間内のトラヒックデータが観測される度に、記憶装置に記録されている最も古いトラヒックデータを新しいデータで置き換え、振分器２が格納した各考慮期間別のデータを記憶装置から読み込み、該考慮期間内のトラヒックデータの平均値と標準偏差を逐次計算し、この平均値と標準偏差の組を該代表時刻の統計量として出力し、図示していない記憶装置（各代表時刻統計量ファイル）に格納する（ステップＳ４０３）。
【０１０６】
閾値設定用統計量計算器４は、統計量計算器３が逐次計算して格納した、全ての代表時刻における統計量を各代表時刻統計量ファイルから読み出し、その重み付け平均を閾値設定用統計量として算出し、図示していない記憶装置（閾値設定用統計量ファイル）に出力して格納する（ステップＳ４０４）。
【０１０７】
閾値設定器５は、閾値設定用統計量計算器４が算出して格納した閾値設定用統計量を閾値設定用統計量ファイルから読み込み、予め定められたパラメタαを用いて、「（閾値設定用統計量における平均値）±α×（閾値設定用統計量における標準偏差）」により閾値を算出し、閾値ファイルとして出力する（ステップＳ４０５）。
【０１０８】
図５に示す手順では、閾値設定システム１は、まず、図示していない処理手段により、予め記録媒体に記録された、あるいは入力装置から入力された、コンフィグ情報（一周期の長さ、代表時刻と考慮期間、加重平均の重み等）を読み込み、コンフィグ設定ファイルとして記憶装置に格納する（ステップＳ５０１）。
【０１０９】
観測値（所定の時間間隔単位で時系列に集計されるデータ量）が入力されると、振分器２は、コンフィグ設定ファイルを参照して、入力された観測値を、予め設定された代表時刻を含む考慮期間単位に分け、考慮期間別データとして出力する（ステップＳ５０２）。
【０１１０】
統計量計算器３は、ある考慮期間内のトラヒックデータが観測される度に、当該代表時刻の平均値と標準偏差の組からなる統計量と、観測されたトラヒックデータとの重み付け平均を代表時刻統計量として算出し記憶装置（代表時刻統計量ファイル）に出力し格納する（ステップＳ５０３）。
【０１１１】
閾値設定用統計量計算器４は、統計量計算器３が逐次計算して格納した、全ての代表時刻における代表時刻統計量を読み出し、その重み付け平均を閾値設定用統計量として算出し、図示していない記憶装置（閾値設定用統計量ファイル）に出力して格納する（ステップＳ５０４）。
【０１１２】
閾値設定器５は、閾値設定用統計量計算器４が算出して格納した閾値設定用統計量を閾値設定用統計量ファイルから読み込み、予め定められたパラメタαを用いて、「（閾値設定用統計量における平均値）±α×（閾値設定用統計量における標準偏差）」により閾値を算出し、閾値ファイルとして出力する（ステップＳ５０５）。
【０１１３】
以上、図１〜図５を用いて説明したように、本例の閾値設定システムは、観測したネットワークのトラヒックが予め定められた基準値から一定量以上逸脱したとき、当該トラヒックに異常が発生したと判定する際に用いる、一定量を意味する閾値を、プログラムされたコンピュータによって自動設定するために、プログラムされたコンピュータが実行する処理手段として、振分器２、統計量計算器３、閾値設定用統計量計算器４、閾値設定器５を具備する。
【０１１４】
そして、振分器２は、予め記録されたコンフィグ情報（一周期の長さ、代表時刻と考慮期間）を参照して、入力された観測値（所定の時間間隔単位で時系列に集計されるデータ量）を、予め設定された代表時刻を含む考慮期間単位に分け、統計量計算器３は、各考慮期間内のトラヒックデータの平均値と標準偏差を計算し、その組を統計量として求めると共に、コンフィグ情報（加重平均の重み）を参照して、現周期におけるいずれかの考慮期間に該当するデータが全て観測されるごとに計算される統計量と、過去周期までに計算された統計量の重み付け平均を計算しこれを平均統計量として求める。
【０１１５】
閾値設定用統計量計算器４は、全ての代表時刻における各平均統計量の重み付け平均を閾値設定用統計量として算出し、閾値設定器５は、閾値設定用統計量計算器４が算出した閾値設定用統計量と予め定められたパラメタαを用いて、予め定められたパラメタαを用いて、（閾値設定用統計量における平均値）±α×（閾値設定用統計量における標準偏差）により閾値を算出する。
【０１１６】
あるいは、統計量計算器３は、統計量（各考慮期間内のトラヒックデータの平均値と標準偏差の組）を求めると共に、ある考慮期間内のトラヒックデータが観測されるたびに、記憶装置に記憶されている最も古いトラヒックデータを新しいデータで置き換え、各代表時刻の統計量を逐次計算し、閾値設定用統計量計算器４は、統計量計算器３が逐次計算した全ての代表時刻における統計量の重み付け平均を閾値設定用統計量として算出し、閾値設定器５は、閾値設定用統計量計算器４が算出した閾値設定用統計量と、予め定められたパラメタαを用いて、（閾値設定用統計量における平均値）±α×（閾値設定用統計量における標準偏差）により閾値を算出する。
【０１１７】
または、統計量計算器３は、統計量（各考慮期間内のトラヒックデータの平均値と標準偏差の組）を求めると共に、ある考慮期間内のトラヒックデータが観測されるたびに、観測されたトラヒックデータとの重み付け平均により代表時刻の統計量を更新して平均統計量として求め、閾値設定用統計量計算器４は、統計量計算器３が逐次計算した、全ての代表時刻における平均統計量の重み付け平均を閾値設定用統計量として算出し、閾値設定器５は、閾値設定用統計量計算器４が算出した閾値設定用統計量と、予め定められたパラメタαを用いて、（閾値設定用統計量における平均値）±α×（閾値設定用統計量における標準偏差）により閾値を算出する。
【０１１８】
このように、本例では、所定の時間間隔単位で時系列に集計されるデータの量が周期的に増減する際の、このデータ量の異常・正常を判定するのに用いる基準値からの逸脱値（閾値）を設定する際、周期性を考慮して統計量を見積もることにより、毎周期発生するトラヒック変動を加味した閾値を設定する。これにより、トラヒックの昼夜変動などで生じる誤検出や非検出を軽減される。また、過去の統計情報も考慮するため、瞬時的な傾向変化を観測した後に閾値の精度が大きく損なわれることを回避できる。
【０１１９】
尚、本発明は、図１〜図５を用いて説明した例に限定されるものではなく、その要旨を逸脱しない範囲において種々変更可能である。例えば、本例では、「上述の統計量の見積もりにおいて、代表時刻ｔnの統計量Θｎは平均値や標準偏差に限らないとする。」と記載しているように、例えば、「カルマンフィルタ」技術を用いることでも良い。
【０１２０】
カルマンフィルタモデルは、観測データ量情報に観測手法に起因するノイズが混入する際に有効な手法となる。現時刻をｔとするとき、観測値(ノイズ含)をｙｔ、状態値(真のデータ量)をｘｔと表す。このとき、ノイズを含む観測時系列を以下のようにモデル化する。
【０１２１】
まず、観測値と状態値の関係は、観測誤差ｖｔを用いて、「ｙｔ＝ｘｔ＋ｖｔ」で表される。ここで、ｖｔは平均０、分散ｒのガウス雑音に従うとする。
【０１２２】
また、状態値は時間発展し、時刻間の関係はシステム誤差ｗｔを用いて、「ｘｔ＝ｘｔ−１＋ｗｔ」と表される。ここで、ｗｔは平均０、分散ｑのガウス雑音に従うとする。尚、ｖｔとｗｔは独立であるとする。
【０１２３】
ここで、ｒ，ｑは計測できない真のパラメタであるが、考慮期間の観測値を全て受け取った後、例えば、「Ｒ．Ｈ．Ｓｈｕｍｗａｙ  ａｎｄ  Ｄ．Ｓ．Ｓｔｏｆｆｅｒ，“Ｄｙｎａｍｉｃ  Ｌｉｎｅａｒ  Ｍｏｄｅｌｓ  Ｗｉｔｈ  Ｓｗｉｔｃｈｉｎｇ”  Ｊｏｕｒｎａｌ  ｏｆ  ｔｈｅ  Ａｍｅｒｉｃａｎ  Ｓｔａｔｉｓｔｉｃａｌ  Ａｓｓｏｃｉａｔｉｏｎ，Ｓｅｐｔｅｍｂｅｒ  １９９１，  Ｖｏｌ．８６，  Ｎｏ．４１５」に記載の「ＥＭアルゴリズム」によるパラメタ推定値を次の数２１，２２とする。
【０１２４】
【数２１】
2008311719.tif 000023
【０１２５】
【数２２】
2008311719.tif 000024
【０１２６】
カルマンフィルタは、観測値を受け取るたび、状態推定ステップと状態予測ステップを交互に繰り返す。
【０１２７】
具体的には、時刻ｔの観測トラヒックｙｔを受け取ると、次のような更新式によりシステムの状態値推定（数２３）、モデル分散値推定（数２４）へとフィードバックする。なお、モデル分散値は、推定したトラヒックモデルの良さを表す指標である。
【０１２８】
【数２３】
2008311719.tif 000025
【０１２９】
【数２４】
2008311719.tif 000026
【０１３０】
ここで、ｋｔはカルマンゲインと呼ばれる量で、次の数２５の式で与えられる。
【０１３１】
【数２５】
2008311719.tif 000027
【０１３２】
カルマンフィルタによる状態予測値は、システム状態の推定値ｘｔ｜ｔよりシステム状態発展式に基づき、数２６に示すように計算される。
【０１３３】
【数２６】
2008311719.tif 000028
【０１３４】
また、モデル分散値ｐｔも時間発展し、次の数２７の式により計算される。
【０１３５】
【数２７】
2008311719.tif 000029
【０１３６】
こうして計算された状態推定値の平均値（数２８）と、観測値に現れる誤差についての分散推定値（数２９，３０）を代表時刻統計量とする。そして、閾値は、数３１により算出される。
【０１３７】
【数２８】
2008311719.tif 000030
【０１３８】
【数２９】
2008311719.tif 000031
【０１３９】
【数３０】
2008311719.tif 000032
【０１４０】
【数３１】
2008311719.tif 000033
【０１４１】
また、本例では、ネットワークにおける通信トラヒックを例に説明したが、道路上での交通量測定や施設への入場者数測定などにも適用することが可能である。
【０１４２】
また、コンピュータ構成例に関しても、キーボードや光ディスクの駆動装置の無いコンピュータ構成としても良く、また、記録媒体としても光ディスクに限らずＦＤ（Ｆｌｅｘｉｂｌｅ  Ｄｉｓｋ）等を用いることでも良い。また、プログラムのインストールに関しても、通信装置を介してネットワーク経由でプログラムをダウンロードしてインストールすることでも良い。
【図面の簡単な説明】
【０１４３】
【図１】本発明に係る閾値設定システムの構成例を示すブロック図である。
【図２】図１における閾値設定システムでの閾値設定動作例を示す説明図である。
【図３】本発明に係る閾値設定方法の第１の処理手順例を示すフローチャートである。
【図４】本発明に係る閾値設定方法の第２の処理手順例を示すフローチャートである。
【図５】本発明に係る閾値設定方法の第３の処理手順例を示すフローチャートである。
【符号の説明】
【０１４４】
１：閾値設定システム、２：振分器、３：統計量計算器、４：閾値設定用統計量計算器、５：閾値計算器。
【図１】
2008311719.tif 000034
【図２】
2008311719.tif 000035
【図３】
2008311719.tif 000036
【図４】
2008311719.tif 000037
【図５】
2008311719.tif 000038